(57)【要約】本発明は、磁気相互接続を有する衣類に係る。該相互接続は、衣類を閉じるよう機械的接続を形成するよう、また、例えば電源と装置との間に電気的接続を形成するよう役割を果たす。相互接続は、磁力を介して機械的接続を形成する第１の部分及び第２の部分によって形成される。第１及び第２の部分は、迅速に結合及び分離され得、接続の容易性及び設計の平易性を有する磁気結合の全ての有利点を有し得る。
2007502374.tif 000002
【特許請求の範囲】
【請求項１】
相互接続であって、
第１の磁気方位を有する磁石と、電気的接続を形成する手段とを有する第１の部分と、
前記第１の部分に結合される際に電気的接続を形成する手段を有する第２の部分と、
を有し、
前記第１及び第２の部分が、接続される際に機械的接続及び電気的接続を形成する、
相互接続。
【請求項２】
前記第１の部分及び第２の部分は、前記磁石によって生成される磁力を使用して機械的接続を形成する、
請求項１記載の相互接続。
【請求項３】
前記第２の部分は、第２の磁気方位を有する磁石を更に有する、
請求項１記載の相互接続。
【請求項４】
前記電気的接続は、前記機械的接続によって調整される、
請求項２記載の相互接続。
【請求項５】
前記電気的接続は、前記機械的接続と前記第１及び／又は第２の部分の物理的性質とによって調整される、
請求項４記載の相互接続。
【請求項６】
前記第１及び第２の部分は、ファブリック材料を機械的に接続する手段を有する、
請求項１記載の相互接続。
【請求項７】
前記第１及び第２の部分は、前記ファブリック材料内に有されるファブリック導体を介して電流供給源から電流を受ける、
請求項６記載の相互接続。
【請求項８】
前記第１及び第２の部分は、機械的に接続される際に電気回路を形成する、
請求項７記載の相互接続。
【請求項９】
前記電気回路は、ファブリック材料上の１つの場所からファブリック材料上の他の場所へ電流を通す、
請求項８記載の相互接続。
【請求項１０】
前記電気回路は、ファブリック材料上の１つの場所から装置へ電気信号を通す、
請求項８記載の相互接続。
【請求項１１】
前記電気的接続を形成する手段は、オス・コネクタ又はメス・レセプタを有する、
請求項１記載の相互接続。
【請求項１２】
前記電気的接続を形成する手段は、面接触を有する、
請求項１記載の相互接続。
【請求項１３】
前記第１又は第２の部分の電気的接続を形成する前記手段は、前記磁石を有する、
請求項１記載の相互接続。
【請求項１４】
相互接続であって、
電磁石と電気的接続を形成する手段とを有する第１の部分と、
前記電磁石へ電流を供給する手段と、
前記第１の部分に結合される際に電気的接続を形成する手段を有する第２の手段と、
を有し、
前記第１及び第２の部分が、電流を受ける前記電磁石上で機械的接続を形成し、機械的に接続される際に電気的接続を更に形成する、
相互接続。
【請求項１５】
前記電流を供給する手段は、電子装置を更に有する、
請求項１４記載の相互接続。
【請求項１６】
前記電子装置は、着用可能な電子装置である、
請求項１５記載の相互接続。
【請求項１７】
前記第２の部分は、磁石を更に有する、
請求項１４記載の相互接続。
【請求項１８】
前記磁石は、電磁石である、
請求項１７記載の相互接続。
【請求項１９】
前記第２の部分は、磁石によって引き付けられる物質を有する、
請求項１４記載の相互接続。
【請求項２０】
装置を制御する方法であって、
一連の相互接続において少なくとも１つの相互接続で結合し、それぞれが、第１の磁気方位を有する磁石と電気的接続を形成する手段とを有する第１の部分と、前記第１の部分に結合される際に電気的接続を形成する手段を有する第２の部分とを有し、前記第１及び第２の部分が、接続される際に機械的接続及び電気的接続を形成する段階と、
前記少なくとも１つの相互接続の前記結合を感知する段階と、
前記一連の相互接続において結合された又は結合されていない相互接続の数に基づいて前記装置を制御する段階と、
を有する方法。
【請求項２１】
前記感知する段階は、電気回路が前記結合する段階によって形成される際に感知することを有する、
請求項２０記載の方法。
【請求項２２】
前記制御する段階は、結合された又は結合されていない相互接続の前記数に基づいて前記装置を増加的に制御することを更に有する、
請求項２１記載の方法。
【請求項２３】
前記装置は、衣類において有される加熱要素であり、前記少なくとも１つの相互接続は、前記衣類に取り付けられる、
請求項２１記載の方法。
【請求項２４】
衣類であって、
第１の磁気方位を有する磁石と電気的接続を形成する手段とを有する第１の部分を有する相互接続と、
前記第１の部分に結合される際に電気的接続を形成する手段を有する第２の部分と、
を有し、
前記第１及び第２の部分が、接続される際に機械的接続及び電気的接続を形成する、
衣類。
【発明の詳細な説明】
【技術分野】
【０００１】
本発明は、一般的に着用可能な電子機器に係り、より特には、着用可能な電子応用における使用に対して一体化された磁気電気相互接続に係る。
【背景技術】
【０００２】
着用可能な電子機器は、電子製品のファブリック及び衣類との一体化を有する。これらの例は、携帯用ステレオ、心拍数モニタ、バイオフィードバック、センサ、電話ヘッドセット、データ・ライン接続、マイクロプロセッサ、コンピュータ化された構成部品等である。
【０００３】
導電繊維を有するファブリックは、また、従来技術において周知である。かかるファブリックは、回路を構築するよう織物繊維と織り交ぜられた繊維を有する。電流は、スイッチ及び電源を使用してかかるファブリック上の範囲に選択的に通り得る。図１は、導電繊維を有する衣類２を表す。衣類２は、導電繊維で構成された３つの電流路３，３’，３’’を有し、電流は該電流路を介して電源から送られ得る。電流路は、導電インク等の他の既知の技術を使用して形成され得る。衣類２は、また、衣類の着用者がいずれの電流路を自分が選ぶか選択し得るスイッチ５を有する。例えば、ユーザは、携帯電話又は携帯用ラジオ等である携帯用電子装置を、クリップ６で衣類２に取り付ける。着用者が電子装置に電源を入れるようスイッチ５を設定する際、電流は、電源４から電流路３’’を介してクリップ６へ、及び、取り付けられた装置へと通る。電流路３，３’，３’’を構成する導電繊維は、また、大きな抵抗を有するよう選択され得る。続いて、導電繊維は、レジスタの機能を果たし、電気エネルギを熱として解放する。電流路３，３’，３’’は、選択された範囲において衣類２を熱するよう使用され得る。しかしながらこれらのファブリックは、ジャケットのボタン・クロージャ等にて基本機能へと一体化された追加的な電気的接続を要求する。
【０００４】
１９９４年１月２５日出願、国際公開第９４／１６５８７号パンフレット（特許文献１）「ＣＬＯＳＵＲＥ  ＦＯＲ  Ａ  ＧＡＲＭＥＮＴ  ＯＲ  ＴＨＥ  ＬＩＫＥ」は、ボタン及びボタン穴を磁気／強磁性クロージャと取り替えるよう意図された衣類に対するクロージャを説明する。このクロージャは、磁気回路を作る又は断つよう回転され得る。しかしながら、磁気回路は、電気的接続を形成する手段を有さない。
【０００５】
２００１年１２月１３日出願、国際公開第０２／４９４６５号パンフレット（特許文献２）「ＰＯＲＴＡＢＬＥ  ＥＬＥＣＴＲＯＮＩＣ  ＥＱＵＩＰＭＥＮＴ」は、織物材料へと一体化された伝送ラインのネットワークを有する衣料品を説明する。伝送ラインは、ボタン等のコネクタから作られたスイッチを有し得る。しかしながら、この説明は、望ましくは一貫した電気的接続を保持するよう適切である機械的接続の信頼性を欠くボタン又はスナップ接続を列挙するのみである。更には、ボタン／ボタン穴又はスナップ接続のいずれの部分も、電気的接続を可能にするよう導電性でなければならない。
【特許文献１】国際公開第９４／１６５８７号パンフレット
【特許文献２】国際公開第０２／４９４６５号パンフレット
【発明の開示】
【発明が解決しようとする課題】
【０００６】
本発明は、改良されたファブリック相互接続と、従来技術の制限を克服する取り付けられた電子装置を制御する方法を与える、ことを目的とする。
【０００７】
機械的及び電気的接続を確実にするファブリック相互接続の方法を与える、ことを他の目的とする。
【課題を解決するための手段】
【０００８】
１つの面において、相互接続は、複数の部分を有することによって改良されたファブリック相互接続を与える。第１の部分は、第１の磁気方位を有する磁石、及び電気的接続を形成する手段を有する。第２の部分は、第１の部分に結合される際に電気的接続を形成する手段を有する。第１及び第２の部分は、接続される際に機械的接続及び電気的接続を形成する。
【０００９】
一実施例において、第１の部分及び第２の部分は、磁石によって生成された磁力を使用して機械的接続を形成する。
【００１０】
他の実施例では、第２の部分は、第２の磁気方位を有する磁石を更に有する。
【００１１】
他の実施例では、電気的接続は、機械的接続によって調整される。他の実施例では、電気的接続は、第１及び／又は第２の部分の物理的性質及び機械的接続によって調整される。
【００１２】
一実施例では、第１及び第２の部分は、機械的にファブリック材料を接続する手段を有する。他の実施例では、第１及び第２の部分は、電流を電流供給源からファブリック材料内に有されるファブリック導体を介して受ける。他の実施例では、第１及び第２の部分は、機械的に接続される際に電気回路を形成する。他の実施例では、電気回路は、ファブリック材料上の１つの場所からファブリック材料上の他の場所へ電流を通す。他の実施例では、電気回路は、ファブリック材料上の１つの場所から装置へ電気信号を通す。
【００１３】
一実施例では、電気的接続を形成する手段は、オス・コネクタ又はメス・レセプタを有する。他の実施例では、電気的接続を形成する手段は、面接触を有する。他の実施例では、第１又は第２の部分の電気的接続を形成する手段は、磁石を有する。
【００１４】
他の面では、相互接続は、複数の部分を有する。第１の部分は、電磁石、及び電気的接続を形成する手段を有する。相互接続はまた、電磁石に対して電流を供給する手段、及び、第１の部分に結合される際に電気的接続を形成する手段を有する第２の部分を有する。第１及び第２の部分は、電流を受ける電磁石上で機械的接続を形成し、機械的接続される際に電気的接続を更に形成する。  一実施例では、電流を供給する手段は、電子装置を有する。他の実施例では、該電子装置は着用可能な電子装置である。他の実施例では、第２の部分は磁石を更に有する。他の実施例では、該磁石は電磁石である。他の実施例では、第２の部分は、磁石によって引き付けられた物質を有する。
【００１５】
他の実施例では、装置を制御する方法は、複数の段階を有する。１つの段階は、一連の相互接続において少なくとも１つの相互接続を結合する。それぞれは、第１の磁気方位を有する磁石及び電気的接続を形成する手段を有する第１の部分と、第１の部分に結合される際に電気的接続を形成する手段を有する第２の部分とを有し、第１及び第２の部分は、接続される際に電気的接続及び機械的接続を形成する。他の段階は、少なくとも１つの相互接続の結合を感知する。他の段階は、一連の相互接続において結合された又は結合されていない相互接続の数に基づいて装置を制御する。
【００１６】
一実施例では、感知する段階は、結合する段階によって電気回路が形成される際に感知することを有する。他の実施例では、制御する段階は、結合された又は結合されていない相互接続の数に基づいて装置を増加的に制御することを有する。
【００１７】
一実施例では、装置は、衣類において有される加熱要素であり、少なくとも１つの相互接続は、衣類に取り付けられる。
【発明を実施するための最良の形態】
【００１８】
本発明は、以下の説明、図面、及び請求項から明らかである多くの有利点を与える。
【００１９】
本発明は、添付の図面を参照してより完全に理解され得る。
【００２０】
図２は、衣類２０を閉じるよう機械的接続を形成するよう、また、例えば電源４と装置７との間に電気的接続を形成するよう役割を果たす磁気相互接続２１を有する衣類２０を示す。相互接続２１は、磁力を介して機械的接続を形成する第１の部分２２及び第２の部分２３によって形成される。第１（２２）及び第２（２３）の部分は、迅速に結合及び分離され得、接続の容易性及び設計の平易性を有する磁気結合の全ての有利点を有し得る。
【００２１】
図３は、図２中の部分Ａの拡大図を示す。この図中に示される通り、相互接続２１は、第１の部分２２及び第２の部分２３を接続することによって形成される。相互接続２１の機械的結合は、第１の部分２２に埋め込まれた磁石３０によって生成される。磁石３０は、磁界を生成して他の物質を引き付ける全ての種類の物質であり得る。第２の部分２３は、磁石３０によって引き付けられる少なくとも１つの物質３１を、その面上あるいはその中に有する。物質３１を引き付ける磁石３０によって生成される磁力は、少なくとも、適切な力のもとでの解放から衣類２０を保護するには十分機械的に強くなければならないが、衣類２０の着用者が接続を分離できないほど強くてはならない。
【００２２】
第１の部分２２及び第２の部分２３は、電流が電源４から通され得る導電繊維で構成され得る電流路３にそれぞれ電気的に接続される。電流路３は、また、導電インク等の従来技術において既知の他の技術を使用して形成され得る。機械的に接続される際、第１の部分２２及び第２の部分２３は、相互接続２１を形成する。追加的に、第１の部分２２及び第２の部分２３の面は、相互接続２１の機械的接続がそれらを共に押し付ける際に回路を完成させる電気接続を有する。磁石３０自体は、電気的接続を形成する手段になり得る。
【００２３】
図４は、図３の相互接続の他の実施例を示す。この実施例では、第１の部分２２及び第２の部分２３はいずれも、それぞれ磁石３０，４１を有する。磁石３０，４１は、対抗する磁気方位を有し得、従って相互接続２１の機械的結合及び磁力をもたらす。追加的に、磁石３０，４１のうちいずれか又はいずれも、電源４等の源によって電源を入れられる電磁石であり得る。
【００２４】
例えば、第１の部分２２が電磁石を有する場合、該部分は、電流を受ける際に第２の部分２３を引き付け、したがって磁界を活性化させる。かかる構造は、相互接続２１の自動化相互接続に対して有用である。衣類２０の着用者は、例えば、ボタンを押すことができ、したがって選択された第１の部分２２において有される選択された電磁石３０の活性化を開始することができる。これら第１の部分２２は、それらのそれぞれの第２の部分２３を引き付け、故に自動的に衣類を閉じ、且つ電気的接続を形成する。
【００２５】
更には、電磁石を有するかかる相互接続は、衣類２０に装置を固定するよう使用され得る。例えば、図５は、着用可能な電子装置７が維持されるポケット５０を有する衣類２０を図示する。電流路は、衣類２０内に有され得、スイッチ５５を活性化させること及び装置７のスイッチを切ることは、ポケットを固定するよう使用される相互接続２１において有される電磁石に対する電力を切断する。電磁石に対する電力を切断することは、その磁界を除去し、したがって相互接続２１の機械的及び電気的接続の両方を解放する。故に、装置７をオフにすることで、装置７が維持されるポケット５０を閉じる相互接続２１が解放される。ポケット５０のフラップ５４は、機械的に定位置に維持されない。反対に、スイッチ５５をオンに切り替えることによって装置７を活性化させることは、電磁石へと電流を供給し、磁界を生成する。これは、相互接続２１の他の部分を引き付け、自動的に電気的及び機械的接続を形成し、故に装置７を衣類２０へ固定する。
【００２６】
図６は、相互接続２１の追加的な一実施例を図示し、第１の部分２２及び第２の部分２３は電気的接触パッド５１を有する。第１の部分２２が第２の部分２３に機械的に接続される際、接触パッド５１は、電気的接続も与えるよう調整される。
【００２７】
図７は、相互接続２１の追加的な一実施例を図示し、第１の部分２２はメス・ソケット６２を有し、第２の部分２３はオス・コネクタ６１を有する。第１の部分２２が第２の部分２３に機械的に接続される際、オス・コネクタ６１は、メス・ソケット６２を有して調整され、該ソケットへと挿入され、したがって電気的接続を形成する。
【００２８】
図８は、相互接続２１の追加的な一実施例を図示し、第１の部分２２はインデント７２を有し、第２の部分２３はエクステンション７１を有する。第１の部分２２が第２の部分２３に機械的に接続される際、インデント７２及びエクステンション７１は、最適化された機械的及び電気的接続を与えるよう、第１の部分２２及び第２の部分２３を調整した。全ての物理的性質は、相互接続２１を形成することにおいて、第１の部分２２及び第２の部分２３の調整において補助するよう使用され得る。
【００２９】
図９は、取り付けられた装置８０を制御するよう設計された衣類２０を示す。装置８０は、各相互接続２１の結合又は分離を感知するセンサ８１を有する。センサ８１は、相互接続２１の電気的接続を介する電流フローを検出することによって相互接続２１が結合される際に検出する。装置８０は、一連の相互接続２１における結合された又は結合されていない相互接続２１の数に基づいて制御される。装置８０は、熱を上昇又は低下させる加熱装置であり得、熱は着用者が個々の相互接続２１を結合又は分離する時に増加的に発生する。
【００３０】
上述された表現及び例は、典型的なものであり、添付の請求項の範囲を制限するよう意図されていない。更には、請求項中の参照符号は、その範囲を制限するよう解釈されるべきではない。
【図面の簡単な説明】
【００３１】
【図１】導電繊維を有する従来技術の衣類を示す。
【図２】磁気の電気／機械相互接続を有する衣類を示す。
【図３】図２中の部分Ａの拡大図を示す。
【図４】相互接続の更なる実施例を示す。
【図５】装置を衣類に固定する相互接続を示す。
【図６】相互接続の更なる実施例を示す。
【図７】相互接続の更なる実施例を示す。
【図８】相互接続の更なる実施例を示す。
【図９】接続された相互接続の数に基づいて装置を制御する衣類を示す。
【図１】
2007502374.tif 000003
【図２】
2007502374.tif 000004
【図３】
2007502374.tif 000005
【図４】
2007502374.tif 000006
【図５】
2007502374.tif 000007
【図６】
2007502374.tif 000008
【図７】
2007502374.tif 000009
【図８】
2007502374.tif 000010
【図９】
2007502374.tif 000011
【手続補正書】
【提出日】平成18年2月14日(2006.2.14)
【手続補正１】
【補正対象書類名】図面
【補正対象項目名】図２
【補正方法】変更
【補正の内容】
【図２】
2007502374.tif 000012
【手続補正２】
【補正対象書類名】図面
【補正対象項目名】図５
【補正方法】変更
【補正の内容】
【図５】
2007502374.tif 000013
【国際調査報告】
2007502374.tif 000014
2007502374.tif 000015
2007502374.tif 000016
2007502374.tif 000017
2007502374.tif 000018